(57)【要約】【課題】従来は高度な細工を必要とした縁取り部に竹材を使用する飾り窓を製造する場合においても、高度な細工を必要とせず、低コストで製造できる構造を有する飾り窓を提供することを目的とする。【解決手段】刳り貫かれた壁の中に設置される飾り窓の構造を、樹脂板を中央部分が刳り貫かれた第１枠部と第２の枠部で両側から挟み、該第１枠部と第２枠部の刳り貫き部の内側端面に竹製等の縁取り部を接合し、さらに該縁取り部に好適な竹製または木製の飾り部を設置する。【選択図】図１
0003119802.tif 000002
【実用新案登録請求の範囲】
【請求項１】
壁を刳り貫いて壁の両側から鑑賞できるように、はめ込む室内装飾用の飾り窓であって、
樹脂板と、
中央部分が刳り貫かれた第１の枠部（以下「第１枠部」という）と、
中央部分が刳り貫かれた第２の枠部（以下「第２枠部」という）と、
縁取り部と、を具備した前記室内装飾用の飾り窓において、
前記樹脂板の両面から前記第１枠部と前記第２枠部とが前記第１枠部の刳り貫き部分と前記第２枠部の刳り貫き部分とが合うように接合され、
前記第１枠部の刳り貫き部分と前記第２枠部の刳り貫き部分の内周の端面に前記縁取り部が接合されていることを特徴とする飾り窓。
【請求項２】
前記第１枠部又は第２枠部の刳り貫き部分に、飾り部を設置することを 特徴とする請求項１に記載の飾り窓。
【請求項３】
前記飾り部は、竹または竹集成材よりなることを特徴とする 請求項２に記載の飾り窓。
【請求項４】
前記第１枠部及び第２枠部は、木材または木質集成材よりなることを特徴とする請求項１乃至３に記載の飾り窓。
【請求項５】
前記第２枠部と前記樹脂板との間にさらに、中央 部分が刳り貫かれた第３の枠部（以下「第３枠部」という）を具備し、
前記第３枠部の刳り貫かれた部分の内寸は前記第２枠部の刳り貫かれた部分の内寸より大きく、
前記第３枠部の刳り貫かれた部分に飾り部が設置され、
前記飾り部は、前記樹脂板と前記第２枠部に挟まれていることにより脱落しないように設置されていることを特徴とする請求項１に記載の飾り窓。
【請求項６】
前記第１枠部、第２枠部及び第３枠部は、木材または木質集成材よりなることを特徴とする請求項５に記載の飾り窓。
【請求項７】
前記飾り部は、竹または竹集成材よりなることを特徴とする 請求項５及び６に記載の飾り窓。
【請求項８】
前記縁取り部は、縦割り竹材または竹集成材よりなることを特徴とする 請求項１乃至７に記載の飾り窓。
【請求項９】
前記縁取り部は、木材または木質集成材よりなることを特徴とする請求項１乃至７に記載の飾り窓。
【請求項１０】
前記樹脂板は透明な樹脂板であることを特徴とする請求項１乃至９に記載の飾り窓。
【請求項１１】
前記樹脂板は、和紙を透明な塩化ビニール樹脂で 両面からラミネートしたものであることを特徴とする請求項１乃至９に記載の飾り窓。
【請求項１２】
前記縁取り部の外側の端部は、前記第１枠部及び第２枠部よりも突出していることを特徴とする請求項１乃至１１に記載の飾り窓。
【考案の詳細な説明】
【技術分野】
【０００１】
本考案は壁にはめ込んで室内の装飾用とする室内装飾用の飾り窓に関する。
【背景技術】
【０００２】
従来の室内装飾用の飾り窓は、枠部に縁取り部を設けて、該縁取り部に、樹脂板をはめ込み、樹脂板の片方の面に竹材等よりなる飾りを設けるという構造を有していた。また、このような飾り窓の縁取り部は通常は木製であったが、要求として、縁取り部に竹材を使用してほしいとの需要者からの根強い要望があった。
【特許文献１】特開平５−８６６８０
【考案の開示】
【考案が解決しようとする課題】
【０００３】
しかしながら、このような構造の飾り窓の場合において、竹はその性質から厚みに制限があり、従来の構造の飾り窓においては縁取り部に溝を掘る必要があるところ、厚みを制限される竹材に溝を掘ることは困難であり、縁取り部を竹材で作成することは殆ど行われていなかった。慎重かつ細心の作業によれば枠部を竹材で作成することは可能であるものの製造コストが高価なものとなってしまっていた。
【０００４】
図２を参照し具体的に説明する。図２は従来構造を有する飾り窓である。従来構造の飾り窓に樹脂板を設置する場合には縁取り部２０２に溝２０３を掘って、樹脂板をその溝にはめ込む必要がある。この場合縁取り部２０２が木質である場合には必要な厚みのある縁取り部を作成できるので、所要の深さの溝を掘ることが可能であり、樹脂板をその溝にはめ込むことは特に困難ではない。しかし、図３のように、この縁取り部を竹で作成されたものに、樹脂板をはめ込むためには、薄い竹に、ある程度の深さの溝２０３を掘ってその溝に樹脂板をはめ込むことが必要であるが、樹脂板を安定してはめ込めるほどの深さのある溝を薄い竹に掘ることは容易ではない。そのため、竹に樹脂板がはめ込んであるような構造の飾り窓はほとんど市場に出回っていない。
【０００５】
そこで、本考案は、枠部に竹材を使用する飾り窓を製造する場合であっても、高度な細工を必要とせず、従来構造の飾り窓よりも低コストで製造できる構造を有する飾り窓を提供することを目的とする。
【課題を解決するための手段】
【０００６】
本考案は、前記目的を達成するため、従来の飾り窓の構造を変更して、特に竹を使用する場合であっても、高度な細工や熟練を必要とすることなく製造できる構造を有する飾り窓を考案した。
前記目的を達成するため、請求項１に記載された考案は、壁を刳り貫いて壁の両側から鑑賞できるように、はめ込む室内装飾用の飾り窓であって、
樹脂板と、
中央部分が刳り貫かれた第１の枠部（以下「第１枠部」という）と、
中央部分が刳り貫かれた第２の枠部（以下「第２枠部」という）と、
縁取り部と、を具備した前記室内装飾用の飾り窓において、
前記樹脂板の両面から前記第１枠部と前記第２枠部とが前記第１枠部の刳り貫き部分と前記第２枠部の刳り貫き部分とが合うように接合され、
前記第１枠部の刳り貫き部分と前記第２枠部の刳り貫き部分の内周の端面に前記縁取り部が接合されていることを特徴とする。
【０００７】
また、請求項２に記載された考案は、請求項１に記載の飾り窓に係り、
前記第１枠部又は第２枠部の刳り貫き部分に、飾り部を設置することを特徴とする。
【０００８】
また、請求項３に記載された考案は、請求項２に記載の飾り窓に係り、
前記飾り部は、竹または竹集成材よりなることを特徴とする。
【０００９】
また、請求項４に記載された考案は、請求項１乃至３に記載の飾り窓に係り、
前記第１枠部及び第２枠部は、木材または木質集成材よりなることを特徴とする。
【００１０】
また、請求項５に記載された考案は、請求項１に記載の飾り窓に係り、
前記第２枠部と前記樹脂板との間にさらに、中央部分が刳り貫かれた第３の枠部（以下「第３枠部」という）を具備し、
前記第３枠部の刳り貫かれた部分の内寸は前記第２枠部の刳り貫かれた部分の内寸より大きく、
前記第３枠部の刳り貫かれた部分に飾り部が設置され、
前記飾り部は、前記樹脂板と前記第２枠部に挟まれていることにより脱落しないように設置されていることを特徴とする。
【００１１】
また、請求項６に記載された考案は、請求項５に記載の飾り窓に係り、
前記第１枠部、第２枠部及び第３枠部は、木材または木質集成材よりなることを特徴とする。
【００１２】
また、請求項７に記載された考案は、請求項５及び６に記載の飾り窓に係り、
前記飾り部は、竹または竹集成材よりなることを特徴とする。
【００１３】
また、請求項８に記載された考案は、請求項１乃至７に記載の飾り窓に係り、
前記縁取り部は、縦割り竹材または竹集成材よりなることを特徴とする。
【００１４】
また、請求項９に記載された考案は、請求項１乃至７に記載の飾り窓に係り、
前記縁取り部は、木材または木質集成材よりなることを特徴とする。
【００１５】
また、請求項１０に記載された考案は、請求項１乃至９に記載の飾り窓に係り、
前記樹脂板は透明な樹脂板であることを特徴とする。
【００１６】
また、請求項１１に記載された考案は、請求項１乃至９に記載の飾り窓に係り、
前記樹脂板は、和紙を透明な塩化ビニール樹脂で 両面からラミネートしたものであることを特徴とする。
【００１７】
また、請求項１２に記載された考案は請求項１乃至１１に記載の飾り窓に係り、
前記縁取り部の外側の端部は、前記第１枠部及び第２枠部よりも突出していることを特徴とする。
【考案の効果】
【００１８】
請求項１に記載の考案によれば、従来の構造を有する飾り窓を製造する場合に比べて、容易に製造できるために製造コストの低減をはかることができる。また、請求項１に記載の考案に係る飾り窓を実際に壁の中に設置する場合に、従来の飾り窓を設置するのに比較して施工が容易であり、施工コストをも低減できる。
【００１９】
また、請求項２に記載の考案によれば、縁取り部に飾り部を有する飾り窓についても請求項１に記載の飾り窓と同様の効果を得ることができる。
【００２０】
また、請求項３に記載の考案によれば、縁取り部に竹等よりなる飾り部を有する飾り窓についても請求項１に記載の飾り窓と同様の効果を得ることができる。
特に、縁取り部に竹材を使用する飾り窓は、従来の構造の飾り窓の場合には、薄い竹に慎重に溝を掘って樹脂板を確実にはめ込むという細工が必要で非常に製作が困難であり、ほとんど市場に出回っていないほど高価なものであったが、請求項３に記載の飾り窓の構造を採用することにより、縁取り部に竹材を使用する飾り窓を縁取り部が木製のものと同様に製作することができ、製造コストを大幅に低減することができる。
【００２１】
また、請求項４に記載の考案によれば、請求項１乃至３に記載の考案と同様の効果を得られる。
【００２２】
また、請求項５に記載の考案によれば、請求項１に 記載の考案の効果に加えて、飾り部をより容易に設置できるという効果を得ることができる。
【００２３】
また、請求項６に記載の考案によれば、第１枠部、第２枠部及び第３枠部が木材又は木質集成材よりなる飾り窓についても請求５に記載の飾り窓と同様の効果を得ることができる。
【００２４】
また、請求項７に記載の考案によれば、飾り部が竹又は竹集成材よりなる飾り窓についても請求５及び６に記載の飾り窓と同様の効果を得ることができる。
【００２５】
また、請求項８に記載の考案によれば、縁取り部が縦割りに竹材又は竹集成材よりなる飾り窓についても請求項１乃至７に記載の飾り窓と同様の効果を得ることができる。
【００２６】
また、請求項９に記載の考案によれば、縁取り部が 木材又は木質集成材よりなる飾り窓についても請求項１乃至７に記載の飾り窓と同様の効果を得ることができる。
【００２７】
また、請求項１０に記載の考案によれば、請求項１乃至９に記載の考案に係る飾り窓の効果に加えて、樹脂板が透明であり、飾り窓を通して向こう側を観測できるという効果を得られる。
【００２８】
また、請求項１１に記載の考案によれば、請求項１乃至９に記載の考案に係る飾り窓の効果に加えて、樹脂板が半透明であり、障子のような風情を生じるという効果を得られる。
【００２９】
また、請求項１２に記載の考案によれば、請求項１乃至１１に記載の考案に係る飾り窓の効果と同様の効果を得られる。
【考案を実施するための最良の形態】
【００３０】
以下、図を参照しつつ、考案を実施するための最良の形態につき説明する。
（実施の形態１）
図１は実施の形態１に係る飾り窓を示す斜視図である。図１において、１０１は第１枠部であり、１０２は第２枠部であり、１０３は縁取り部であり、１０４は樹脂板である。
【００３１】
また、図４の(a)は実施の形態１に係る飾り窓の正面図であり、図４の(b)は実施の形態１に係る飾り窓の側面 図である。
【００３２】
第１枠部１０１及び第２枠部１０２は中央部が円状に刳り貫かれて、樹脂板１０４を両側から挟み、中央の刳り貫き部が樹脂板１０４の両側で合うように接合されている。また、第１枠部１０１及び第２枠部１０２の中央部の刳り貫かれた内側端面に縁取り部１０３が接合されている。実施の形態１に係る飾り窓においては、第１枠部１０１及、第２枠部１０２及び樹脂板１０４を接着剤または、釘等で接合すればよい。したがって、樹脂板をはめ込む溝を掘る必要がなく、従来構造の飾り窓に比べて製造が容易である。また、さらに、飾り窓を壁に埋め込む場合においても施工上のメリットがある。第１枠部１０１及び第２枠部１０２の刳り貫き部の外側の部分（以下「施工用袖部」ともいう）１０５を利用して、この施工用袖部１０５を壁の中の柱等に接合することができ、従来構造のものに比べて飾り窓を壁にはめ込む際の施工が容易となる。
【００３３】
なお、必要に応じて、第１枠部１０１又は第２枠部１０２の刳り貫き部の内側端面に接合された縁取り部１０３に飾り部を設置する。
（実施の形態２）
図５は実施の形態２に係る飾り窓を示す斜視図である。図５において、５０１は飾り部であり、１０４は和紙を二枚の透明な塩化ビニール樹脂で両面からラミネートしたものである。実施の形態２に係る飾り窓は実施の形態１に係る飾り窓の刳り貫き部を長方形にして、さらに第２枠部１０２の縁取り部１０３に飾り部５０１を設置したものである。
また、中央に挟まれている樹脂板１０４は和紙を二枚の透明な塩化ビニール樹脂で両面からラミネートしたものであり、外観的には障子のような風合いがある。
【００３４】
この実施の形態２に係る飾り窓の構造の飾り窓の場合においも、実施の形態１の場合と同様に樹脂板をはめ込む溝を掘る必要がなく、従来構造の飾り窓に比べて製造が容易である。また、第１枠部１０１及び第２枠部１０２のうち刳り貫き部の外側の部分が図１の施工用袖部１０５に比較して狭いが、必要に応じて、壁への施工方法に合わせて適当な大きさにすることができ、壁の中に設置する際の施工作業を容易にすることができる。その結果、飾り窓の製造・施工コストを低減することができる。
（実施の形態３）
図６は実施の形態３に係る飾り窓を示す斜視図である。図６において１０３は縁取り部であり、本実施の形態３に係る飾り窓においては、縁取り部１０３に竹を使用している。
従来構造の飾り窓において縁取り部に竹を使用する場合には、図３に示されているように、1枚の竹よりなる縁取り部２０２に溝２０３を掘って、樹脂板をはめ込んでいた。それに対して、実施の形態３に係る飾り窓においては、そもそも、溝を掘る必要はないので、縁取り部１０３が木材を使用しても竹を使用しても、両飾り窓を製造する難易度は同様である。図６を参照して説明すると、樹脂板１０４の両側の第１枠部１０１及び第２枠部１０２の刳り貫き部の内側端面に木製ではなく竹製の縁取り部１０３を接合することが図１に示される実施の形態１に係る飾り窓と相違するだけであり、縁取り部１０３が竹製の飾り窓も縁取り部１０３が木製の飾り窓と同じように製造できる。一方、飾り窓の構造を実施の形態３に係る飾り窓のようにしても、見た目は従来の飾り窓と同じである。その結果、従来は製造すること自体が困難であった縁取り部に竹を使用した飾り窓を低価格で提供することが可能となった。
（実施の形態４）
図７は実施の形態４に係る飾り窓を示す斜視図である。図７において７０１は第３枠部であり、７０２は第３枠部７０１の刳り貫き部内に設置されている飾り部である。
【００３５】
図７に図示される実施の形態４に係る飾り窓は図１に図示される実施の形態１に係る飾り窓の第１枠部１０１と樹脂板１０４の間に第３枠部７０１を加え、さらに該第３枠部の刳り貫き部内に飾り部７０２を設置したものである。図を参照しつつ説明する。
【００３６】
図８の(a)は実施の形態４に係る飾り窓の正面図である。また、図８の(b)は実施の形態４に係る飾り窓の側面 図である。実施の形態４に係る飾り窓は実施の形態２に係る飾り窓の場合に縁取り部１０３の内側に設置されている飾り部５０１を、縁取り部１０３の内側ではなく、別途第３枠部７０１を設けて、第３枠部７０１の枠部の内側に飾り部７０２を並べ、飾り部７０２が並べられた第３枠部７０１を樹脂板１０４と第２枠部１０２とで、側から挟むことによって、飾り部７０２が第３枠部７０１から脱落しないようにしているものである。
【００３７】
図９を参照しつつ説明する。図９の(a)は実施の形態４に係る飾り窓の側面 図である。また、図９の(b)は実施の形態４に係る飾り窓の９ＡＡ−９ＢＢ切断線断面図である。図９の(b)において、７０１は第３枠部であり７０２は第３枠部７０１の内側に並べられている飾り部７０２である。飾り部７０２を竹製や木製の棒材を縦に図７のように並べて作成するような場合には、図５に図示されている実施の形態２に係る飾り窓の場合において、縁取り部１０３の内側に竹製や木製の棒材を縦に並べる場合には竹製や木製の棒材が縁取り部１０３から脱落しないように竹製や木製の棒材を縁取り部１０３に固定する必要があるが、実施の形態４に係る飾り窓の場合には、単に、竹製や木製の棒材を第３枠部７０１の枠の内側に並べるだけですみ、製造が容易である。また、見た目もすっきりしており、外観的にも遜色がない。さらに、出来上がった飾り窓を実際に壁の中にはめ込む際の施工を実施例１乃至３と同じように容易である。
【図面の簡単な説明】
【００３８】
【図１】実施の形態１に係る飾り窓を示す斜視図である。
【図２】従来構造を有する飾り窓である。
【図３】従来構造を有する飾り窓である。
【図４】図４の(a)は実施の形態１に係る飾り窓の正面図であり、図４の(b)は実施の形態１に係る飾り窓の側面 図である。
【図５】実施の形態２に係る飾り窓を示す斜視図である。
【図６】実施の形態３に係る飾り窓を示す斜視図である。
【図７】実施の形態４に係る飾り窓を示す斜視図である。
【図８】図８の(a)は実施の形態４に係る飾り窓の正面図であり、図８の(b)は実施の形態４に係る飾り窓の側面 図である。
【図９】図９の(a)は実施の形態４に係る飾り窓の側面図であり、図９の(b)は実施の形態４に係る飾り窓の９ＡＡ−９ＢＢ切断線断面図である。
【符号の説明】
【００３９】
１０１      第１枠部
１０２      第２枠部
１０３      縁取り部
１０４      樹脂板
１０５      施工用袖部
５０１      飾り部
７０１      第３枠部
７０２      第３枠部７０１の刳り貫き部内に設置されている飾り部
【図１】
0003119802.tif 000003
【図２】
0003119802.tif 000004
【図３】
0003119802.tif 000005
【図４】
0003119802.tif 000006
【図５】
0003119802.tif 000007
【図６】
0003119802.tif 000008
【図７】
0003119802.tif 000009
【図８】
0003119802.tif 000010
【図９】
0003119802.tif 000011